(57)【要約】【解決手段】固定部材Ｃにより壁面Ａに取り付けられている横手すりＢに対して、対向する外周方向から突き合わせることにより横手すりＢを抱持することができる２つ割りの半筒体１ａ，１ｂを備えている。両半筒体１ａ，１ｂを抱き合わせたときそのいずれかの位置に、縦手すりＤの一端を嵌入させ得る保持筒１ｃが少なくとも形成されているものとする。【効果】壁面Ａに取り付けられている横手すりＢに、後付けで極めて簡単に縦手すりＤを接続することができ、縦手すりＤの後付け作業の施工性が大幅に向上する。２つ割りの半筒体１ａ，１ｂの突き合わせ部の一方に長手方向の溝２を、他方には、スライドさせることによってこの溝４に嵌入させ得る突出部３を形成しておくと、一方の半筒体１ａもしくは１ｂに対して他方の半筒体をスライドさせるだけで、２つの半筒体１ａ，１ｂが抱き合わさって極めて容易に１つの接続具になる。【選択図】  図２
2004270210.tif 000002
【特許請求の範囲】
【請求項１】
固定部材により壁面に取り付けられている横手すりに、縦手すりを接続するためのものであって、前記横手すりに対して対向する外周方向から突き合わせることにより横手すりを抱持することができる２つ割りの半筒体１ａ，１ｂを有し、両半筒体１ａ，１ｂを突き合わせたときそのいずれかの位置に、前記縦手すりの一端を嵌入させ得る保持筒１ｃが少なくとも形成されていることを特徴とする縦手すり接続具。
【請求項２】
２つ割りの半筒体１ａ，１ｂの突き合わせ部に、凹凸係合部が形成されていることを特徴とする請求項１記載の縦手すり接続具。
【請求項３】
凹凸係合部が半筒体１ａもしくは１ｂの長手方向に形成された溝と、スライドさせることによってこの溝に嵌入させ得る突出部とからなることを特徴とする請求項１又は２記載の縦手すり接続具。
【請求項４】
２つ割りの半筒体１ａ，１ｂには、横手すりにねじ込まれるネジを挿通するための孔が、また、保持筒１ｃには、縦手すりにねじ込まれるネジを挿通するための孔が形成されていることを特徴とする請求項１〜３のいずれかに記載の縦手すり接続具。
【請求項５】
２つ割りの半筒体１ａ，１ｂに形成されている孔から横手すりにねじ込まれているネジが見える場合において、また、保持筒１ｃに形成されている孔から縦手すりにねじ込まれているネジが見える場合において、そのネジを覆い隠すことができるカバーを装着するための手段を、２つ割りの半筒体１ａ，１ｂ、保持筒１ｃにそれぞれ備えたことを特徴とする請求項４記載の縦手すり接続具。
【発明の詳細な説明】
【０００１】
【発明の属する技術分野】
本発明は、固定部材により壁面に取り付けられている横手すりに、後から縦手すりを接続するための器具、すなわち、縦手すりを後付けできる器具に関するものである。
【０００２】
【従来の技術】
壁面Ａ’に横方向の手すり、すなわち、横手すりＢ’を取り付けるに当っては、通常、壁面Ａ’に固定させ得る固定部材Ｃ’が用いられ、例えば、図５に示すように、横手すりＢ’の両端部を２つの前記固定部材Ｃ’で支え、各固定部材Ｃ’，Ｃ’をビスなどで壁面Ａ’に固定することによって、横手すりＢ’を壁面Ａ’に固定することができる。
そして、壁面Ａ’に固定されたこの横手すりＢ’に縦方向の手すり、すなわち、縦手すりＤ’を接続するには、通常、前記横手すりＢ’を挿通させ得る正面略Ｔ字状の接続具Ｅ’が用いられ、この接続具Ｅ’の保持筒ｅ’で縦手すりＤ’の上端部を保持することによって、縦手すりＤ’を壁面Ａ’に固定することができる。
【０００３】
図５（ａ）には、１本の横手すりＢ’に縦手すりＤ’を接続する場合を示す。この場合には、横手すりＢ’を支えるために用いられた固定部材と同じ固定部材Ｃ’で縦手すりＤ’の下端部を支え、この固定部材Ｃ’をビスなどで壁面Ａ’に固定する。また、図５（ｂ）には、上下等間隔に配置された２本の横手すりＢ’，Ｂ’に渡し掛けるごとく縦手すりＤ’を接続する場合を示す。この場合には、横手すりＢ’に縦手すりＤ’を接続するために用いられた接続具と同じ接続具Ｅ’の保持筒ｅ’で縦手すりＤ’の下端部を保持する。
【０００４】
また、図５（ｂ）に示す場合と同じように、上下等間隔に配置された２本の横手すりＢ’，Ｂ’に渡し掛けるごとく縦手すりＤ’を接続するものも開発されている（例えば、特許文献１参照）。この技術では、縦手すりＤ’を傾動自在とするとともに、前記接続具Ｅ’に相当する部材を横手すりに対して摺動自在としている点で、さらに工夫を凝らしてある。
【０００５】
【特許文献１】
特開２００２−３８６８９号公報（第１〜３頁、図１、図４）
【０００６】
【発明が解決しようとする課題】
このような場合において、固定部材Ｃ’により壁面Ａ’に取り付けられている横手すりＢ’に、後から縦手すりＤ’を接続するためには、ビスで壁面Ａ’に固定されていて横手すりＢ’の両端部を支えている２つの固定部材Ｃ’，Ｃ’を、壁面Ａ’から外さなければならない。そうしないと、横手すりＢ’に縦手すりＤ’を接続するために用いられる接続具Ｅ’を、横手すりＢ’に装着できないからである。このように、一旦取り付けた２つの固定部材Ｃ’，Ｃ’を壁面Ａ’から外す作業は極めて面倒である。
本発明は、この欠点を解消するとともに、縦手すりの後付け作業の施工性を向上させるようにしたものである。
【０００７】
【課題を解決するための手段】
上記目的を達成するために、本発明では、固定部材により壁面に取り付けられている横手すりに対して、対向する外周方向から突き合わせることにより横手すりを抱持することができる２つ割りの半筒体１ａ，１ｂを有するものとし、両半筒体１ａ，１ｂを突き合わせたときそのいずれかの位置に、前記縦手すりの一端を嵌入させ得る保持筒１ｃが少なくとも形成されている。
【０００８】
この接続具を用いると、ビスで壁面Ａに固定されていて横手すりＢの両端部を支えている２つの固定部材Ｃ，Ｃを壁面Ａから外さなくても、すなわち、壁面Ａに横手すりＢを取り付けたままで、その横手すりＢに２つ割りの半筒体１ａ，１ｂを対向する外周方向から突き合わせることにより、横手すりＢを抱持することができる。そして、両半筒体１ａ，１ｂの突き合わせたときそのいずれかの位置に、少なくとも保持筒１ｃが形成されており、接続すべき縦手すりＤの一端をこの保持筒１ｃに嵌入するだけで、固定部材Ｃにより壁面Ａに取り付けられている横手すりＢに、後付けで極めて簡単に縦手すりＤを接続することができる。従って、縦手すりＤの後付け作業の施工性が大幅に向上する。
【０００９】
２つ割りの半筒体１ａ，１ｂの突き合わせ部に、凹凸係合部を形成しておくことが好ましい。このようにしておくと、横手すりＢに対して対向する外周方向から２つ割りの半筒体１ａ，１ｂを突き合わせるだけで、その突き合わせ部における凹凸係合部の係合によって２つ割りの半筒体１ａ，１ｂが抱き合わさって１つの接続具になり、横手すりＢを抱持することができる。従って、２つ割りの半筒体１ａ，１ｂを抱き合わせて極めて簡単に１つの接続具にすることができ、縦手すりの後付け作業の施工性がさらに大幅に向上する。
【００１０】
凹凸係合部が半筒体１ａもしくは１ｂの長手方向に形成された溝と、スライドさせることによってこの溝に嵌入させ得る突出部とからなるものとしておくとよい。このようにしておくと、一方の半筒体１ａもしくは１ｂに対して他方の半筒体をスライドさせるだけで、２つ割りの半筒体１ａ，１ｂが抱き合わさって１つの接続具になるから、本接続具の横手すりＢへの装着を極めて容易に行うことができる。
【００１１】
２つ割りの半筒体１ａ，１ｂには、横手すりＢにねじ込まれるネジ４を挿通するための孔４ａが、また、保持筒１ｃには、縦手すりＤにねじ込まれるネジ４を挿通するための孔４ａが形成されていることが好ましい。このようにしておくと、２つ割りの半筒体１ａ，１ｂに形成されている孔４ａからネジ４をねじ込むことにより、横手すりＢに対して外周方向から突き合わせた２つ割りの半筒体１ａ，１ｂをそれぞれ横手すりＢに強固に固定できる。また、保持筒１ｃに形成されている孔４ａからネジ４をねじ込むことにより、縦手すりＤを保持筒１ｃに強固に固定できる。特に、２つ割りの半筒体１ａ，１ｂのそれぞれがネジ４で横手すりＢに固定されるから、接続具１全体の強度も強くなり、その結果、この接続具１により横手すりＢに接続されている縦手すりＤが強固に固定されることになる。
【００１２】
２つ割りの半筒体１ａ，１ｂに形成されている孔４ａから横手すりＢにねじ込まれているネジ４が見える場合において、また、保持筒１ｃに形成されている孔４ａから縦手すりＤにねじ込まれているネジ４が見える場合において、そのネジ４を覆い隠すことができるカバーを装着するための手段を、２つ割りの半筒体１ａ，１ｂ、保持筒１ｃにそれぞれ備えておくことが望ましい。このようにしておくと、２つ割りの半筒体１ａ，１ｂに形成されている孔４ａから横手すりＢにねじ込まれているネジ４をこのカバーで覆い隠すことができる。また、保持筒１ｃに形成されている孔４ａから縦手すりＤにねじ込まれているネジ４をこのカバーで覆い隠すことができる。従って、横手すりＢと縦手すりＤの接続部分においてネジ４が見えず、施工後の体裁が良い。
【００１３】
【発明の実施の形態】
本発明の好ましい実施の形態を、図１〜図４に基づいて詳細に説明する。
本発明による縦手すり接続具とは、固定部材Ｃにより壁面Ａに取り付けられている横手すりＢに、後から縦手すりＤを接続するためのもの、すなわち、縦手すりＤを後付けできるようにしたものであって、図１に示すように、前記横手すりＢに対して対向する外周方向から突き合わせることにより横手すりＢを抱持することができる２つ割りの半筒体１ａ，１ｂを有しており、両半筒体１ａ，１ｂを突き合わせたときそのいずれかの位置に、前記縦手すりＤの一端を嵌入させ得る保持筒１ｃが少なくとも形成されている。
【００１４】
ここには、半筒体１ａ，１ｂが上下２つ割りとなっており、縦手すりＤの一端を嵌入させ得る保持筒１ｃが下側の半筒体１ｂから真下に延び出させてある場合を例示する。上下２つ割りの半筒体１ａ，１ｂは、固定部材Ｃにより壁面Ａに取り付けられている横手すりＢに対して、対向する外周方向の上下方向から突き合わせることにより横手すりＢを抱持することができ、本縦手すり接続具１を後から、すなわち、後付けで横手すりＢに固定することができる。
【００１５】
この場合においては、縦手すりＤの一端を保持するための保持筒１ｃが、筒状の形で下側の半筒体１ｂから延び出ていることになる。従って、接続すべき縦手すりＤの上端部を筒状のこの保持筒１ｃに嵌入すれば、横手すりＢに後から縦手すりＤを接続することができる。すなわち、従来の場合のように、ビスで壁面に固定されていて横手すりの両端部を支えている２つの固定部材を、壁面から外さなくても、換言すると、壁面に横手すりを取り付けたままで、この横手すりに後から、すなわち、後付けで縦手すりを接続することができる。
なお、図２、図３においては、便宜上、横手すりＢと縦手すりＤをいずれも鎖線で示す。
【００１６】
図示はしないが、壁面Ａに横手すりＢを取り付けるに当っては、従来の場合と同様に、横手すりＢの両端部を支えている２つの固定部材Ｃ，Ｃの各取付座の孔からビスを壁面Ａにねじ込めばよい。これにより、図４に示すように、壁面Ａに横手すりＢを強固に固定することができる。そして、本縦手すり接続具１を利用してこの横手すりＢに後から、すなわち、後付けで縦手すりＤを接続することができる。また、図４に示すように、後付けされた縦手すりＤの下端も、従来の場合と同様に、横手すりＢの両端部を支えるのに用いられる固定部材と同じ固定部材Ｃで支えられている。
なお、固定部材Ｃをカバー付きのものとしておくと、壁面Ａにねじ込んだビスの頭を覆い隠すことができるので、施工後の体裁がよい。
【００１７】
半筒体１ａ，１ｂを前後２つ割りとし、その一方の半筒体１ｂから前記縦手すりＤの一端を嵌入させ得る保持筒１ｃを突出させてもよい。ただし、この場合には、保持筒１ｃを倒Ｌ字状に延び出させる必要があり、その分保持筒１ｃが出っ張るから、接続・設置後の縦手すりＤも出っ張ることになってあまり好ましくはないが、理論的には実施可能である。
【００１８】
また、半筒体１ａ，１ｂを前後２つ割りとし、接続すべき縦手すりＤに対して対向する外周方向の前後方向から突き合わせることにより縦手すりＤを抱持することができる２つ割りの半筒体を、前後２つ割りの半筒体１ａ，１ｂの直下から向かい合わせとなるごとく延び出させておいてもよい。この場合においては、前後２つ割りの半筒体１ａ，１ｂを突き合わせたとき、縦手すりＤを抱持するための半筒体が互いに抱き合わさって１つの筒体となり、この筒体で接続すべき縦手すりの一端を保持することができる。
【００１９】
２つ割りの半筒体１ａ，１ｂの突き合わせ部に、凹凸係合部を形成しておけば、横手すりＢに対して対向する外周方向から２つ割りの半筒体１ａ，１ｂを突き合わせるだけで、その突き合わせ部における凹凸係合部の係合によって２つ割りの半筒体１ａ，１ｂが抱き合わさって１つの接続具になり、横手すりＢを抱持することができる。
【００２０】
凹凸係合部の一例として、ここには、上下２つ割りの半筒体１ａ，１ｂのうち、下側の半筒体１ｂの突き合わせ部に長手方向の溝２を形成し、スライドさせることによってこの溝２に嵌入させ得る突出部３を上側の半筒体１ａの突き合わせ部に形成した場合を例示する（図１参照）。この場合には、下側の半筒体１ｂに対して上側の半筒体１ａをスライドさせるだけで、上側の半筒体１ａの突出部３が下側の半筒体１ｂの溝２内をスライドし、上下２つ割りの半筒体１ａ，１ｂが抱き合わさって１つの接続具１になり、横手すりＢを抱持することができる。
【００２１】
なお、スライド方式で上下２つ割りの半筒体１ａ，１ｂを抱き合わせる場合において、前記溝２の終端部分にストッパーとなる突部を形成しておくと、スライドにより抱き合わされた２つ割りの半筒体１ａ，１ｂの位置合わせが容易となり、２つ割りの半筒体１ａ，１ｂが互いにずれることがない。
【００２２】
一方、図示はしないが、上下２つ割りの半筒体１ａ，１ｂのいずれか一方の突き合わせ部に突爪を、他方の半筒体の突き合わせ部にこの突爪を係合させ得る係合段部を形成しておいても、横手すりＢに対して対向する外周方向から２つ割りの半筒体１ａ，１ｂを突き合わせるだけで、その突き合わせ部における凹凸係合部の係合によって２つ割りの半筒体１ａ，１ｂが抱き合わさって１つの接続具になり、横手すりＢを抱持することができる。
【００２３】
２つ割りの半筒体１ａ，１ｂには、図２に示すように、横手すりＢにねじ込まれるネジ４を挿通するための孔４ａが、また、保持筒１ｃには、縦手すりＤにねじ込まれるネジ４を挿通するための孔４ａが形成されている。
図２（ａ）に示すように、２つ割りの半筒体１ａ，１ｂに形成されている孔４ａからネジ４をねじ込むことにより、横手すりＢに対して上下方向の外周方向から突き合わせた２つ割りの半筒体１ａ，１ｂをそれぞれ横手すりＢに強固に固定できる。また、図２（ｂ）に示すように、保持筒１ｃに形成されている孔４ａからネジ４をねじ込むことにより、縦手すりＤを保持筒１ｃに強固に固定できる。
特に、上下２つ割りの半筒体１ａ，１ｂのそれぞれがネジ４で横手すりＢに固定されるから、接続具１全体の強度も強くなり、その結果、この接続具１により横手すりＢに接続されている縦手すりＤが強固に固定されることになる。
【００２４】
２つ割りの半筒体１ａ，１ｂに形成されている孔４ａから横手すりＢにネジ４をねじ込むと、そのネジ４の頭が見える。また、保持筒１ｃに形成されている孔４ａから縦手すりＤにネジ４をねじ込むと、そのネジ４の頭が見える。そこで、そのネジ４の頭を覆い隠すことができるカバー５を装着するための手段を、２つ割りの半筒体１ａ，１ｂ、保持筒１ｃにそれぞれ備えておくとよい。このようにしておくと、２つ割りの半筒体１ａ，１ｂに形成されている孔４ａから横手すりＢにねじ込まれているネジ４の頭をこのカバー５で覆い隠すことができる。また、保持筒１ｃに形成されている孔４ａから縦手すりＤにねじ込まれているネジ４の頭をこのカバー５で覆い隠すことができる。従って、横手すりＢと縦手すりＤの接続部分においてネジ４の頭が見えず、施工後の体裁が良い。
【００２５】
ここには、ネジ４の頭を覆い隠すことができる半円弧状のカバー５を上側の半筒体１ａと前記保持筒１ｃに装着する場合が例示されている。そして、半円弧状のカバー５を上側の半筒体１ａに装着するための手段として、図１に示すように、半筒体１ａのうち孔４ａが形成されている部位の肉厚を薄くしてその部分にカバー５を嵌め込むための嵌合凹部６を、この嵌合凹部６の左右両端部に段部６ａ，６ａを形成するとともに、カバー５の左右両端部に前記段部６ａ，６ａに係合させ得る係合爪５ａ，５ａを形成してある。
半筒体１ａに形成されている嵌合凹部６にカバー５を嵌め込むとともに、その左右両端部に形成されている係合爪５ａ，５ａを前記嵌合凹部６の左右両端部の段部６ａ，６ａに係合させることによって、半円弧状のカバー５を上側の半筒体１ａに装着することができ、このカバー５で横手すりＢにねじ込まれているネジ４の頭を覆い隠すことができる。
【００２６】
また、半円弧状のカバー５を保持筒１ｃに装着するための手段として、上述した場合と全く同様に、保持筒１ｃのうち孔４ａが形成されている部位の肉厚を薄くしてその部分にカバー５を嵌め込むための嵌合凹部６を、この嵌合凹部６の左右両端部に段部６ａ，６ａを形成するとともに、カバー５の左右両端部に前記段部６ａ，６ａに係合させ得る係合爪５ａ，５ａを形成してある。
保持筒１ｃに形成されている嵌合凹部６にカバー５を嵌め込むとともに、その左右両端部に形成されている係合爪５ａ，５ａを前記嵌合凹部６の左右両端部の段部６ａ，６ａに係合させることによって、半円弧状のカバー５を保持筒１ｃに装着することができ、このカバー５で縦手すりＤにねじ込まれているネジ４の頭を覆い隠すことができる。
【００２７】
図１に示すように、上側の半筒体１ａに形成されている嵌合凹部６ならびに段部６ａと、保持筒１ｃに形成されている嵌合凹部６ならびに段部６ａとを全く同じ大きさ・形態にしておけば、上側の半筒体１ａに装着するカバー５と保持筒１ｃに装着するカバー５とを共用できるので、極めて便利であり、また、本縦手すり接続具を販売する面でも在庫管理の面でも極めて有利である。
また、２つ割りの半筒体１ａ，１ｂに形成されている孔４ａと保持筒１ｃに形成されている孔４ａとを同じ大きさとするとともに、２つ割りの半筒体１ａ，１ｂ側から横手すりＢにねじ込むネジ４と、保持筒１ｃ側から縦手すりＤにねじ込むネジ４とを共通のものとしておけば、両ネジ４を２つ割りの半筒体１ａ，１ｂ側にも保持筒１ｃ側にも用いることができるので、極めて便利であり、また、本縦手すり接続具を販売する面でも在庫管理の面でも極めて有利である。
【００２８】
なお、ここには、上側の半筒体１ａ及び保持筒１ｃに半円弧状のカバー５を装着するための手段として、上側の半筒体１ａ及び保持筒１ｃ側に嵌合凹部６と段部６ａを、カバー５側に係合爪５ａ，５ａを形成した場合を例示したが、それらに代えていぼ状の突起とこの突起を嵌入させ得る孔を形成する方式を採ってもよい。
【００２９】
【発明の効果】
請求項１記載の発明によれば、壁面に取り付けられている横手すりに、後付けで極めて簡単に縦手すりを接続することができ、縦手すりＤの後付け作業の施工性が大幅に向上するという効果がある。
【００３０】
請求項２記載の発明によれば、２つ割りの半筒体１ａ，１ｂを抱き合わせて極めて簡単に１つの接続具にすることができ、縦手すりの後付け作業の施工性がさらに大幅に向上するという効果がある。
【００３１】
請求項３記載の発明によれば、一方の半筒体１ａもしくは１ｂに対して他方の半筒体をスライドさせるだけで、２つ割りの半筒体１ａ，１ｂが抱き合わさって１つの接続具になるから、本接続具の横手すりＢへの装着を極めて容易に行うことができる効果がある。
【００３２】
請求項４記載の発明によれば、２つ割りの半筒体１ａ，１ｂに形成されている孔４ａからネジ４をねじ込むことにより、横手すりＢに対して外周方向から突き合わせた２つ割りの半筒体１ａ，１ｂをそれぞれ横手すりＢに強固に固定でき、また、保持筒１ｃに形成されている孔４ａからネジ４をねじ込むことにより、縦手すりＤを保持筒１ｃに強固に固定できる効果がある。特に、２つ割りの半筒体１ａ，１ｂのそれぞれがネジ４で横手すりＢに固定されるから、接続具１全体の強度も強くなり、その結果、この接続具１により横手すりＢに接続されている縦手すりＤが強固に固定されることになる。
【００３３】
請求項５記載の発明によれば、２つ割りの半筒体１ａ，１ｂに形成されている孔４ａから横手すりＢにねじ込まれているネジ４をこのカバーで覆い隠すことができ、また、保持筒１ｃに形成されている孔４ａから縦手すりＤにねじ込まれているネジ４をこのカバーで覆い隠すことができるから、横手すりＢと縦手すりＤの接続部分においてネジ４が見えず、施工後の体裁が良いという効果がある。
【図面の簡単な説明】
【図１】本発明による縦手すり接続具の一例を示す分解斜視図である。
【図２】本発明による縦手すり接続具の抱き合わせ状態を示す図で、（ａ）はその縦断正面図、（ｂ）はその縦断側面図で、横手すりにねじ込まれるネジ、縦手すりにねじ込まれるネジを合わせて示す。
【図３】本発明による縦手すり接続具の抱き合わせ状態を示す斜視図である。
【図４】本発明による縦手すり接続具の使用状態の一例を示す斜視図である。
【図５】従来の縦手すりの接続方式を説明するための正面図で、（ａ）は１本の横手すりに縦手すりを接続する場合を、（ｂ）は上下等間隔に配置された２本の横手すりに渡し掛けるごとく縦手すりを接続する場合を示す。
【符号の説明】
１…接続具、１ａ，１ｂ…半筒体、１ｃ…保持筒、２…溝、３…突出部、４…ネジ、４ａ…孔、５…カバー、５ａ…係合爪、６…嵌合凹部、６ａ…段部、Ａ…壁面、Ｂ…横手すり、Ｃ…固定部材、Ｄ…縦手すり。
【図１】
2004270210.tif 000003
【図２】
2004270210.tif 000004
【図３】
2004270210.tif 000005
【図４】
2004270210.tif 000006
【図５】
2004270210.tif 000007